(57)【要約】【課題】２枚レンズでレンズの光学長が短く、小型化が可能であり、十分なバックフォーカスを有し、諸収差が少なく、テレセントリック特性に優れ、高画質の画像が得られる撮像レンズを提供する。【解決手段】開口絞り、物体側に凸面を向けたメニスカス形状の正屈折力を有する第１レンズ（Ｌ1）及び非球面形状の正屈折力を有する第２レンズ（Ｌ2）を有し、ｆ1／ｆ2 ＞ １.０、０ ＜ Ｒ2／Ｒ1 ≦ １.０、１.２ ＜ ＴＬ／ｆ ＜ １.６、１.１ ＜ ＴＬ／２Ｙ ＜ １.７、０.５ ＜ Ｂｆ／ｆ ＜ ０.６、０.３５ ＜ Ｂｆ／ＴＬ ＜ ０.４５（ｆ1；Ｌ1の焦点距離、ｆ2；Ｌ2の焦点距離、Ｒ1；Ｌ1物体側面の近軸曲率半径、Ｒ2；Ｌ1像側面の近軸曲率半径、ＴＬ：Ｌ1物体側面より像面までの距離、ｆ：全系の焦点距離、２Ｙ：撮像素子の像面対角線長、Ｂｆ：バックフォーカス）を満たすことを特徴とする撮像レンズ。【選択図】図１
2006189586.tif 000002
【特許請求の範囲】
【請求項１】
物体側より順に、開口絞り、第１レンズ及び第２レンズを有し、第１レンズは物体側に凸面を向けたメニスカス形状の正屈折力を有するレンズであり、第２レンズは両面が非球面形状である正屈折力を有するレンズであり、かつ、
ｆ1／ｆ2 ＞ １.０                                   …［１］
０ ＜ Ｒ2／Ｒ1 ≦ １.０                             …［２］
１.２ ＜ ＴＬ／ｆ ＜ １.６                          …［３］
１.１ ＜ ＴＬ／２Ｙ ＜ １.７                        …［４］
０.５ ＜ Ｂｆ／ｆ ＜ ０.６                          …［５］
０.３５ ＜ Ｂｆ／ＴＬ ＜ ０.４５                    …［６］
（ただし、式中、ｆ1；第１レンズの焦点距離、ｆ2；第２レンズの焦点距離、Ｒ1；第１レンズ物体側面の近軸曲率半径、Ｒ2；第１レンズ像側面の近軸曲率半径、ＴＬ：第１レンズ物体側面より像面までの距離（フィルター部分は空気長換算した値）、ｆ：全系の焦点距離、２Ｙ：撮像素子の像面対角線長、Ｂｆ：バックフォーカス（空気長換算した値）である。）
を満たすことを特徴とする撮像レンズ。
【請求項２】
第１レンズの少なくとも一つの面が非球面形状である請求項１に記載の撮像レンズ。
【請求項３】
第１レンズ及び第２レンズが、ともにプラスチックレンズである請求項１又は請求項２に記載の撮像レンズ。
【請求項４】
第１レンズと第２レンズの間に第２絞りを有し、
０.１１ ＜ Ｌ／ｆ ＜ ０.３                      …［７］
（ただし、式中、Ｌ：第１レンズ像側面と第２レンズ物体側面の距離、ｆ：全系の焦点距離である。）
を満たす請求項１ないし請求項３のいずれか１項に記載の撮像レンズ。
【発明の詳細な説明】
【技術分野】
【０００１】
本発明は、撮像レンズに関する。さらに詳しくは、本発明は、レンズの光学長が短く、小型化が可能であるが、十分なバックフォーカスを有し、諸収差が少なく、テレセントリック特性が良好で、高画質の画像が得られ、ＣＣＤイメージセンサや、ＣＭＯＳイメージセンサなどの固体撮像素子を用い、携帯電話やＰＤＡなどの画像入力に好適に使用することができる小型の撮像レンズに関する。
【背景技術】
【０００２】
近年、携帯電話やＰＤＡなどの通信機器に、ＣＣＤイメージセンサや、ＣＭＯＳイメージセンサなどの固体撮像素子を用いた小型で解像度の高い撮像レンズが搭載され急速に普及してきている。このような中で、イメージセンサの総画素数を変えることなく、画素を小さくすることによりセンササイズを小さくし、小型化を図る技術が進歩し、コストも低下しているために普及が著しい。
このために、サイズの小さい安価なセンサに適合した、焦点距離が短く特性の優れた撮像レンズが求められている。短焦点化により被写体深度が深くなり、ピント合わせの範囲が広くなるという利点もある。このような用途のレンズとして、１枚レンズよりも高性能化に適し、より安価なセンサに適合した２枚構成のレンズが開発されている。
かかる撮像レンズの短焦点距離化に対して、物体側より順に負レンズ、絞り、正レンズを組み合わせたレトロフォーカス型のレンズや、物体側より順に正レンズと負レンズを組み合わせたテレフォト型のレンズが提案されている。レトロフォーカス型のレンズは、バックフォーカスが長くなりがちで小型化には向いていないという問題があり、テレフォト型のレンズは、バックフォーカスが小さくなり、イメージセンサのカバーガラスやその上に搭載されるＩＲカットフィルターを入れるスペースが確保しづらくなるという問題がある。これらの問題を解消するものとして、正のレンズ２枚を使用する撮像レンズが提案されている。
しかし、以上のタイプのレンズにも、短焦点距離化により小型化し、かつイメージセンサとレンズの間にフィルターを入れるスペースを確保するという相反する要求を満たすと同時に、以下の課題を有する。すなわち、イメージセンサ側の問題として、その周辺部では光束の主光線が斜めに入射するために、撮像素子の実質的な開口効率が中心部に比較して減少するいわゆるシェーディング現象が発生し、光量不足となる。この緩和のために、撮像素子にスケーリングにより開口効率を上げる工夫がされているが、イメージセンササイズが小さくなると、中心から周辺部へ急激なスケーリングが必要となり、厳しい技術が必要となり、それだけ高価になるという問題がある。
このような問題のために、像側光束のセンサへの入射角度の小さい、いわゆるテレセントリック特性に優れたレンズの開発が試みられている。例えば、小型、軽量で、テレセントリック特性が良好で、非点収差などが補正しやすく、加工組立が容易な撮像レンズとして、物体側面に凸面を向けた負メニスカスの第１レンズ、絞りを介し、像面に凸面を向けた正メニスカスの第２レンズから構成され、２枚のレンズは少なくとも１面ずつが非球面状であり、空気レンズの屈折力／レンズ全系の屈折力の比が−２.６〜−１.３などの条件を満たす撮像レンズが提案されている（特許文献１）。ただし、２枚のレンズのうち、物体側の第１レンズが負で、像側の第２レンズが正であるために、レンズ全長が大きいという問題がある。一方、物体側から順に正レンズと負レンズを組合わせた配置であるテレフォト型レンズでは入射角に比べ出射角が大きいために、テレセントリック特性に劣るという問題がある。
明るくかつ画角を大きく取れ、小型で諸収差が良好に補正された撮像レンズとして、開口絞り、正の屈折力を有し物体側に凸面を向けたメニスカス形状の第１レンズ、正又は負の屈折力を有し物体側に凸面を向けた第２レンズからなり、２枚のレンズはそれぞれ少なくとも１面が非球面状であり、第１レンズの焦点距離／第２レンズの焦点距離の比の絶対値が１.０未満である撮像レンズが提案されている（特許文献２）。この撮像レンズは、実施例１ではテレセントリック特性が優れているものの、バックフォーカスが小さいために特殊な撮像素子が必要となり、携帯電話やＰＤＡなどのコストが高くなる。
バックフォーカスが短く、全長のコンパクト化を図ることができる単焦点レンズとして、両面が非球面形状で正のパワーを有する第１レンズ及び第２レンズを備え、第１レンズの焦点距離／第２レンズの焦点距離の比が１.０未満であり、第１レンズの像側の近軸曲率半径／物体側の近軸曲率半径の比が３.０を超える単焦点レンズが提案されている（特許文献３）。この単焦点レンズは、実施例１〜２では入射角度が大きくテレセントリック特性が十分でなく、スケーリングされていないイメージセンサには使用が困難で、高価になるという問題がある。
全長のコンパクト化を図るとともに、必要なバックフォーカスを確保することができる単焦点レンズとして、両面が非球面形状で正のパワーを有する第１レンズ及び第２レンズを備え、第１レンズの焦点距離／第２レンズの焦点距離の比が１.０を超え、第１レンズの像側の面の近軸曲率半径／物体側の面の近軸曲率半径の比が１.０〜１０.０である撮像レンズが提案されている（特許文献４）。この撮像レンズは、実施例１、実施例２ともにテレセントリック特性が不十分である。
高画素の撮像素子に適した性能を有し、よりコンパクトな構成の撮像レンズとして、物体側の面が物体側に凸、像側の面が像側に凸又は凹である非球面形状をなす正の第１レンズ及び第２レンズを備え、第２レンズの中心厚／第１レンズと第２レンズの間隔の比が０.６〜１.０であり、レンズのアッベ数が５０以上である撮像レンズが提案されている（特許文献５）。実施例１ではテレセントリック特性がよいが全長が大きく、実施例２〜４はコンパクトではあるがテレセントリック特性に劣り、問題がある。
Ｆナンバーが２.０〜４.０であり、レンズの光学長が短く、像のコントラストが十分に高い鮮明な画像が得られる撮像レンズとして、開口絞り、第１レンズ、第２絞り、第２レンズがこの順に配置され、第１レンズ及び第２レンズがともに物体側に凸面を向けたメニスカス状の正の屈折力を有するレンズであり、第１レンズの焦点距離／第２レンズの焦点距離の比が０.３〜１.０などの条件を満たす撮像レンズが提案されている（特許文献６）。しかし、実施例１〜４のレンズは、テレセントリック特性が不十分で問題がある。
【特許文献１】特開２００２−２６７９２８号公報
【特許文献２】特開２００４−１４５１８３号公報
【特許文献３】特開２００４−２４６１６８号公報
【特許文献４】特開２００４−２４６１６９号公報
【特許文献５】特開２００４−２５２０６７号公報
【特許文献６】特開２００４−１７７９７６号公報
【発明の開示】
【発明が解決しようとする課題】
【０００３】
本発明は、２枚レンズでレンズの光学長が短く、小型化が可能であるが、十分なバックフォーカスを有し、諸収差が少なく、テレセントリック特性に優れ、高画質の画像が得られ、ＣＣＤイメージセンサや、ＣＭＯＳイメージセンサなどの固体撮像素子を用い、携帯電話やＰＤＡなどの画像入力に好適に使用することができる小型の撮像レンズを提供することを目的としてなされたものである。
【課題を解決するための手段】
【０００４】
本発明者らは、上記の課題を解決すべく鋭意研究を重ねた結果、第１レンズとして、物体側に凸面を向けたメニスカス形状の正屈折力を有するレンズ、第２レンズとして、両面が非球面形状である正屈折力を有するレンズを用い、両レンズの特性及び配置について、第１レンズと第２レンズの焦点距離の比が１.０超、第１レンズ物体側面から像面までの距離と全系の焦点距離の比が１.２超１.６未満などの諸条件を満たすことにより、光学長が短いが、十分なバックフォーカスを有し、諸収差が少なく、テレセントリック特性に優れる撮像レンズが得られることを見いだし、この知見に基づいて本発明を完成するに至った。
すなわち、本発明は、
（１）物体側より順に、開口絞り、第１レンズ及び第２レンズを有し、第１レンズは物体側に凸面を向けたメニスカス形状の正屈折力を有するレンズであり、第２レンズは両面が非球面形状である正屈折力を有するレンズであり、かつ、
ｆ1／ｆ2 ＞ １.０                                   …［１］
０ ＜ Ｒ2／Ｒ1 ≦ １.０                             …［２］
１.２ ＜ ＴＬ／ｆ ＜ １.６                          …［３］
１.１ ＜ ＴＬ／２Ｙ ＜ １.７                        …［４］
０.５ ＜ Ｂｆ／ｆ ＜ ０.６                          …［５］
０.３５ ＜ Ｂｆ／ＴＬ ＜ ０.４５                    …［６］
（ただし、式中、ｆ1；第１レンズの焦点距離、ｆ2；第２レンズの焦点距離、Ｒ1；第１レンズ物体側面の近軸曲率半径、Ｒ2；第１レンズ像側面の近軸曲率半径、ＴＬ：第１レンズ物体側面より像面までの距離（フィルター部分は空気長換算した値）、ｆ：全系の焦点距離、２Ｙ：撮像素子の像面対角線長、Ｂｆ：バックフォーカス（空気長換算した値）である。）
を満たすことを特徴とする撮像レンズ、
（２）第１レンズの少なくとも一つの面が非球面形状である(１)に記載の撮像レンズ、
（３）第１レンズ及び第２レンズが、ともにプラスチックレンズである(１)又は(２)に記載の撮像レンズ、及び、
（４）第１レンズと第２レンズの間に第２絞りを有し、
０.１１ ＜ Ｌ／ｆ ＜ ０.３                      …［７］
（ただし、式中、Ｌ：第１レンズ像側面と第２レンズ物体側面の距離、ｆ：全系の焦点距離である。）
を満たす(１)ないし(３)のいずれか１項に記載の撮像レンズ、
を提供するものである。
【発明の効果】
【０００５】
本発明の撮像レンズは、２枚レンズでレンズの光学長が短く、小型化が可能であり、十分なバックフォーカスを有し、諸収差が少なく、テレセントリック特性に優れる。そのために、高画質の画像が得られ、ＣＣＤイメージセンサや、ＣＭＯＳイメージセンサなどの固体撮像素子を用い、携帯電話やＰＤＡなどの画像入力に好適に使用することができる。第１レンズ及び第２レンズをともにプラスチックレンズとすることにより、高い収差補正能を有する非球面レンズを効率的に生産し、本発明の撮像レンズを経済的に製造することができる。
【発明を実施するための最良の形態】
【０００６】
本発明の撮像レンズは、物体側より順に、開口絞り、第１レンズ及び第２レンズを有し、第１レンズは物体側に凸面を向けたメニスカス形状の正屈折力を有するレンズであり、第２レンズは両面が非球面形状である正屈折力を有するレンズであり、かつ、
ｆ1／ｆ2 ＞ １.０                                   …［１］
０ ＜ Ｒ2／Ｒ1 ≦ １                                …［２］
１.２ ＜ ＴＬ／ｆ ＜ １.６                          …［３］
１.１ ＜ ＴＬ／２Ｙ ＜ １.７                        …［４］
０.５ ＜ Ｂｆ／ｆ ＜ ０.６                          …［５］
０.３５ ＜ Ｂｆ／ＴＬ ＜ ０.４５                    …［６］
を満たす撮像レンズである。ただし、式中の記号は、
ｆ1；第１レンズの焦点距離
ｆ2；第２レンズの焦点距離
Ｒ1；第１レンズ物体側面の近軸曲率半径
Ｒ2；第１レンズ像側面の近軸曲率半径
ＴＬ：第１レンズ物体側面より像面までの距離
（フィルター部分は空気長換算した値）
ｆ：全系の焦点距離
２Ｙ：撮像素子の像面対角線長
Ｂｆ：バックフォーカス（空気長換算した値）
を表す。
【０００７】
図１は、本発明の撮像レンズの一態様の説明図である。本態様の撮像レンズは、物体側より順に、開口絞りＳ１、第１レンズＬ１及び第２レンズＬ２を有し、第２レンズと撮像素子の像面との間にガラスフィルターＣＧが設けられている。第１レンズは、物体側に凸面を有するメニスカス形状のレンズである。第２レンズは、物体側面と像側面がともに非球面形状で正屈折力を有するレンズである。第２レンズとして、物体側に凸で光軸から周辺に近づくところに変曲点を有し、物体側に凹となる非球面レンズを用いることができる。第２レンズ像面側は、光軸上で像面側に緩く凹か凸にすることができ、像面側に凹の場合は、光軸から離れたところで変曲点を有し、そこから周辺では像面側に凸の非球面である。第２レンズと撮像素子の像面の間には、ＩＲカットフィルターを設けることもできる。
本発明においては、第１レンズの正の屈折力を第２レンズよりもできるだけ弱くし、式［１］を満足させることでバックフォーカスを長めにし、また、開口絞りの機能をレンズより物体側にすることにより、第２レンズ後端から像面に至る空間を確保している。更に、第１レンズよりも物体側に開口絞りを配置することで、レンズの前側焦点位置に絞りの位置が近づき、像側光束のテレセントリック特性を向上させることを可能にしている。また、正屈折力を有するメニスカス形状の第１レンズの凸面を物体側に向けることにより、撮像レンズ全系の主点を物体側に寄せて、撮像レンズの全長を短くすることができる。さらに、第２レンズは両面を非球面形状とすることにより、歪曲収差、像面湾曲などの像面周辺部の収差を良好に補正することができる。
【０００８】
本発明において、第１レンズの焦点距離をｆ1、第２レンズの焦点距離をｆ2としたとき、ｆ1／ｆ2＞１.０であり、より好ましくはｆ1／ｆ2＞５.０である。ｆ1／ｆ2≦１.０であると、バックフォーカスを確保することが困難になるとともに、テレセントリック特性が低下するおそれがある。ｆ1よりもｆ2を小さくして、第２レンズに強い正屈折力を持たせることにより、バックフォーカスを長くし、撮像素子のカバーガラスや赤外線カットフィルターなどを入れるスペースを確保するとともに、テレセントリック特性を向上することができる。
本発明において、第１レンズ物体側面の近軸曲率半径をＲ1、第１レンズ像側面の近軸曲率半径をＲ2としたとき、０＜Ｒ2／Ｒ1≦１.０であり、より好ましくは０.７＜Ｒ2／Ｒ1＜１.０である。Ｒ2／Ｒ1＞１.０であると、テレセントリック特性が低下するおそれがある。０＜Ｒ2／Ｒ1≦１.０として、第１レンズ物体側面で正の屈折力を保持しながら、像側面の曲率半径を小さくして負の屈折力を強くすることにより、入射画角の大きい光線を第２レンズの前で強く跳ね上げ、第２レンズでの諸収差の補正をしやすくし、テレセントリック特性を向上することができる。Ｒ2が小さいとレンズ全長が長くなるので、Ｒ2／Ｒ1＞０.７であることがより好ましい。
【０００９】
本発明において、第１レンズ物体側面より像面までの距離をＴＬ、全系の焦点距離をｆとしたとき、１.２＜ＴＬ／ｆ＜１.６であり、より好ましくは１.２５＜ＴＬ／ｆ＜１.４５である。なお、ＴＬは、フィルター部分を空気長換算した値である。ＴＬ／ｆ≦１.２であると、撮像レンズとフィルターを配置するのに十分なスペースを確保することが困難になるおそれがある。ＴＬ／ｆ≧１.６であると、撮像レンズの小型化が困難になるおそれがある。１.２＜ＴＬ／ｆ＜１.６とすることにより、レンズ全長を小さくして撮像レンズを小型化し、かつ適当な縁厚のレンズを用い、絞りやフィルターのスペースを確保することができる。
本発明において、第１レンズ物体側面より像面までの距離をＴＬ、撮像素子の像面対角線長を２Ｙとしたとき、１.１＜ＴＬ／２Ｙ＜１.７であり、より好ましくは１.１５＜ＴＬ／２Ｙ＜１.４５である。なお、ＴＬは、フィルター部分を空気長換算した値である。ＴＬ／２Ｙ≦１.１であると、撮像レンズとフィルターを配置するのに十分なスペースを確保することが困難になるおそれがある。ＴＬ／ｆ≧１.７であると、撮像レンズの小型化が困難になるおそれがある。１.１＜ＴＬ／２Ｙ＜１.７とすることにより、レンズ全長を小さくして撮像レンズを小型化し、かつ適当な縁厚のレンズを用い、絞りやフィルターのスペースを確保することができる。
【００１０】
本発明において、バックフォーカスをＢｆ、全系の焦点距離をｆとしたとき、０.５＜Ｂｆ／ｆ＜０.６であり、より好ましくは０.５２＜Ｂｆ／ｆ＜０.５６である。なお、Ｂｆは、フィルター部分を空気長換算した値である。Ｂｆ／ｆ≦０.５であると、バックフォーカスにフィルターを配置することが困難となるおそれがある。Ｂｆ／ｆ≧０.６であると、撮像レンズの小型化が困難となるおそれがある。０.５＜Ｂｆ／ｆ＜０.６とすることにより、バックフォーカスにフィルターを配置するスペースを確保し、かつ撮像レンズの全長を短くすることができる。
本発明において、バックフォーカスをＢｆ、第１レンズ物体側面より像面までの距離をＴＬとしたとき、０.３５＜Ｂｆ／ＴＬ＜０.４５であり、より好ましくは０.３８＜Ｂｆ／ＴＬ＜０.４３である。なお、Ｂｆ及びＴＬは、フィルター部分を空気長換算した値である。Ｂｆ／ＴＬ≦０.３５であると、撮像レンズとセンサの間にフィルターを配置することが困難となるおそれがある。Ｂｆ／ＴＬ≧０.４５であると、撮像レンズの小型化が困難となるおそれがある。０.３５＜Ｂｆ／ＴＬ＜０.４５とすることにより、撮像レンズとセンサの間にフィルターを配置するスペースを確保し、かつ撮像レンズの全長を短くすることができる。
【００１１】
本発明においては、第１レンズの少なくとも一つの面が非球面形状であることが好ましく、両面がともに非球面形状であることがより好ましい。第１レンズを非球面形状とすることにより、球面収差、像面湾曲、歪曲収差、コマ収差などを補正して、良好な収差補正を行うことができる。
本発明においては、第２レンズは、両面が非球面形状でそのうち物体側の面は物体側に凸面を向け、光軸から周辺に近づくにつれて凹面となる変曲点を有する正屈折力のレンズであることが好ましい。また、第２レンズの像面側は、光軸上で凹又は凸で、前者の場合は光軸から周辺に行くときに変曲点を有し、像面側に凸の非球面である。これにより、開口絞りから離れ、通過高さに差のある軸上光束と像面周辺部の軸外光束を補正して、歪曲収差、像面湾曲などの像面周辺部の諸収差を良好に補正することができる。
【００１２】
本発明においては、第１レンズ及び第２レンズがともにプラスチックレンズであることが好ましい。プラスチックレンズは、熱可塑性樹脂の射出成形により製造することができる。プラスチックレンズは、軽量であり、曲率半径や外径が小さいレンズでも容易に製造することができ、非球面形状のレンズであっても効率的に大量生産することができる。プラスチックレンズの素材とする熱可塑性樹脂としては、例えば、脂環式構造を有する樹脂、メタクリル樹脂、ポリカーボネートなどを挙げることができる。これらの中で、脂環式構造を有する樹脂は、吸湿性が極めて低く、湿度変化に伴う吸放湿による寸法変化が少なく、安定した形状を保持することができるので、特に好適に用いることができる。
脂環式構造を有する樹脂としては、例えば、ノルボルネン系単量体の開環重合体若しくは開環共重合体又はそれらの水素添加物、ノルボルネン系単量体の付加重合体若しくは付加共重合体又はそれらの水素添加物、単環の環状オレフィン系単量体の重合体又はその水素添加物、環状共役ジエン系単量体の重合体又はその水素添加物、ビニル脂環式炭化水素系単量体の重合体若しくは共重合体又はそれらの水素添加物、ビニル芳香族炭化水素系単量体の重合体又は共重合体の芳香環を含む不飽和結合の水素添加物などを挙げることができる。
本発明の撮像レンズにおいては、第１レンズと第２レンズの間に第２絞りを設けることができる。第２絞りを設けることにより、内部反射によるフレアを押さえ、画像のコントラストを高くして、鮮明な画像を得ることができる。第１レンズと第２レンズの間に第２絞りを設ける場合は、第１レンズ像側面と第２レンズ物体側面の距離をＬ、全系の焦点距離をｆとしたとき、０.１１＜Ｌ／ｆ＜０.３であることが好ましく、０.１２＜Ｌ／ｆ＜０.２であることがより好ましい。Ｌ／ｆ≦０.１１であると、第２絞りを設けることが困難となるおそれがある。Ｌ／ｆ≧０.３であると、撮像レンズの小型化が困難となるおそれがある。０.１１＜Ｌ／ｆ＜０.３とすることにより、第２絞りを配置するスペースを確保し、かつ撮像レンズの全長を短くすることができる。
【実施例】
【００１３】
以下に、実施例を挙げて本発明をさらに詳細に説明するが、本発明はこれらの実施例によりなんら限定されるものではない。
なお、実施例において用いたカバーグラスのｄ線の屈折率Ｎdは１.５１６８であり、ｄ線のアッベ数νdは６４.２である。
また、レンズの非球面は、光軸方向にＺ軸、光軸と垂直方向にＸ軸をとり、光の進行方向を正として、次式により表される形状である。
【数１】
2006189586.tif 000003
ただし、Ｒはレンズの頂点の曲率半径、ｈはレンズの光軸からの高さ、ｋは円錐定数、Ａ3、Ａ4、Ａ5、Ａ6、Ａ7、Ａ8、Ａ9、Ａ10、Ａ11、Ａ12は非球面係数である。
実施例１
第１レンズ及び第２レンズを構成する材料にノルボルネン系重合体［日本ゼオン(株)、ＺＥＯＮＥＸ ４８０Ｒ］を使用して、焦点距離ｆ＝２.３７３ｍｍ、Ｆナンバー２.９５、撮像素子の像面対角線長２Ｙ＝２.６４ｍｍの撮像レンズを作製した。レンズのｄ線の屈折率Ｎdは１.５２４７であり、ｄ線のアッベ数νdは５５.６であった。
作製した撮像レンズのレンズデータを、第１表、第２表及び第３表に示す。また、撮像レンズの構成図を図２に、球面収差、歪曲収差及び非点収差を収差図として図３に示す。
【００１４】
【表１】
2006189586.tif 000004
【００１５】
【表２】
2006189586.tif 000005
【００１６】
【表３】
2006189586.tif 000006
【００１７】
実施例２
第１レンズ及び第２レンズを構成する材料にノルボルネン系重合体［日本ゼオン(株)、ＺＥＯＮＥＸ Ｅ４８Ｒ］を使用して、焦点距離ｆ＝２.３８７ｍｍ、Ｆナンバー２.８、撮像素子の像面対角線長２Ｙ＝２.６４ｍｍの撮像レンズを作製した。レンズのｄ線の屈折率Ｎdは１.５３２２であり、ｄ線のアッベ数νdは５５.６であった。
作製した撮像レンズのレンズデータを、第４表、第５表及び第６表に示す。また、撮像レンズの構成図を図４に、球面収差、歪曲収差及び非点収差を収差図として図５に示す。
【００１８】
【表４】
2006189586.tif 000007
【００１９】
【表５】
2006189586.tif 000008
【００２０】
【表６】
2006189586.tif 000009
【００２１】
実施例３
第１レンズ及び第２レンズを構成する材料にノルボルネン系重合体［日本ゼオン(株)、ＺＥＯＮＥＸ Ｅ４８Ｒ］を使用して、焦点距離ｆ＝２.４２１ｍｍ、Ｆナンバー２.８、撮像素子の像面対角線長２Ｙ＝２.６４ｍｍの撮像レンズを作製した。レンズのｄ線の屈折率Ｎdは１.５３２２であり、ｄ線のアッベ数νdは５５.６であった。
作製した撮像レンズのレンズデータを、第７表、第８表及び第９表に示す。また、撮像レンズの構成図を図６に、球面収差、歪曲収差及び非点収差を収差図として図７に示す。
【００２２】
【表７】
2006189586.tif 000010
【００２３】
【表８】
2006189586.tif 000011
【００２４】
【表９】
2006189586.tif 000012
【００２５】
実施例１〜３のレンズデータの比の値を、第１０表に示す。
【００２６】
【表１０】
2006189586.tif 000013
【００２７】
第１、４、７、１０表に見られるように、実施例１〜３の撮像レンズの第１レンズ物体側面から像面までの距離ＴＬが３.１５９〜３.１７５ｍｍ、バックフォーカスＢｆが１.２７６〜１.２９８ｍｍであり、全長がコンパクト化されているにもかかわらず、Ｂｆ／ＴＬの比は０.４を超え、十分なバックフォーカスが確保されている。
また、図３、５、７に見られるように、球面収差、歪曲収差及び非点収差の各収差について、良好な収差補正がなされている。
【産業上の利用可能性】
【００２８】
本発明の撮像レンズは、２枚レンズでレンズの光学長が短く、小型化が可能であり、十分なバックフォーカスを有し、諸収差が少なく、テレセントリック特性に優れる。そのために、高画質の画像が得られ、ＣＣＤイメージセンサや、ＣＭＯＳイメージセンサなどの固体撮像素子を用い、携帯電話やＰＤＡなどの画像入力に好適に使用することができる。本発明において、レンズ素材としてプラスチックを用いることにより、複雑な形状の非球面レンズを容易に作製することができ、収差特性が良好な撮像レンズを経済的に製造することができる。
【図面の簡単な説明】
【００２９】
【図１】本発明の撮像レンズの一態様の説明図である。
【図２】実施例１の撮像レンズの構成図である。
【図３】実施例１の撮像レンズの収差図である。
【図４】実施例２の撮像レンズの構成図である。
【図５】実施例２の撮像レンズの収差図である。
【図６】実施例３の撮像レンズの構成図である。
【図７】実施例３の撮像レンズの収差図である。
【符号の説明】
【００３０】
Ｓ１、Ｓ２：絞り
Ｌ１：第１レンズ
Ｌ２：第２レンズ
ＣＧ：カバーガラス
Ｓ：サジタル平面
Ｍ：メリジオナル平面
ｃ線：６５６.２８ｎｍ
ｄ線：５８７.５６ｎｍ
ｅ線：５４６.０７ｎｍ
ｆ線：４８６.１３ｎｍ
ｇ線：４３５.８４ｎｍ
【図１】
2006189586.tif 000014
【図２】
2006189586.tif 000015
【図３】
2006189586.tif 000016
【図４】
2006189586.tif 000017
【図５】
2006189586.tif 000018
【図６】
2006189586.tif 000019
【図７】
2006189586.tif 000020